(57)【要約】【課題】大量に遊技媒体が払い出される場合であっても、遊技媒体貯留部材が有する灰皿等の備品を設けた領域を使用することなく、新たな領域を使用して空洞部を大きくすることができる遊技機を提供する。【解決手段】空洞部６１が構成部材６０により形成されることにより前記空洞部６１に遊技媒体を貯留可能に構成された遊技媒体貯留部材３７が遊技機正面側に設けられ、前記構成部材６０の少なくとも一部を変位可能に保持する構成部材変位手段５２を備え、前記構成部材変位手段５２によって前記構成部材６０が変位することにより前記空洞部６１の容量が拡縮可能に構成されている遊技機。【選択図】        図５
2004147943.tif 000002
【特許請求の範囲】
【請求項１】
空洞部が構成部材により形成されることにより前記空洞部に遊技媒体を貯留可能に構成された遊技媒体貯留部材が遊技機正面側に設けられ、前記構成部材の少なくとも一部を変位可能に保持する構成部材変位手段を備え、前記構成部材変位手段によって前記構成部材が変位することにより前記空洞部の容量が拡縮可能に構成されていることを特徴とする遊技機。
【請求項２】
前記構成部材は前記遊技媒体貯留部材に対して前後方向に進退する請求項１に記載の遊技機。
【請求項３】
前記構成部材変位手段は前記遊技媒体貯留部材に設けられた誘導部からなり、該誘導部に沿って前記構成部材が摺動する請求項１または２に記載の遊技機。
【請求項４】
前記遊技媒体貯留部材に前記構成部材の底部あるいは側部の少なくとも一部を挿通する挿通口を有する板面部が形成されているとともに、前記板面部が前記構成部材の一部を構成している請求項１ないし３のいずれか１項に記載の遊技機。
【請求項５】
前記構成部材に前記遊技媒体貯留部材の一部に当接してその前進を抑止する前進ストッパが設けられている請求項１ないし４のいずれか１項に記載の遊技機。
【請求項６】
前記遊技媒体貯留部材に前記構成部材の底部に対して補助板面部が延設されているとともに、前記補助板面部が前記構成部材と当接してその後退を抑止する請求項１ないし５のいずれか１項に記載の遊技機。
【請求項７】
前記構成部材に前記空洞部に貯留された遊技媒体を該空洞部外部に排出する排出孔と該排出孔を開閉する開閉操作手段が備えられている請求項１ないし６のいずれか１項に記載の遊技機。
【発明の詳細な説明】
【０００１】
【発明の属する技術分野】
この発明は、パチンコ遊技機等の遊技機に関する。
【０００２】
【従来の技術】
従来のパチンコ遊技機等の遊技機においては、発射装置によって発射された遊技媒体（ここでは遊技球。）が流下する遊技領域を備えた遊技盤と、遊技機正面側に上側球受け皿と下側球受け皿等の遊技媒体貯留部材２３７（図１１に示す公知形態参照。）とが設けられている。前記遊技盤には種々の入賞口が配設されており、該種々の入賞口に遊技球が入賞すると、所定数の遊技球が賞品球として前記上側球受け皿に払い出される。そして、図１１に示す前記遊技媒体貯留部材２３７は、上側球受け皿（図示せず。）の飽和時に遊技球を遊技球払出口２４１から空洞部２６１に受け入れる。さらに、この遊技媒体貯留部材２３７の飽和時には該遊技媒体貯留部材２３７の下方に設けた球箱に遊技球を球抜きする。なお、遊技球の球箱への球抜きは、前記遊技媒体貯留部材２３７の球抜き操作部２７４により球抜き孔２６８を開口することによって行う。
【０００３】
また、下皿装置が仕切板を隔てて灰皿と球貯留室を有しており、前記仕切り板を取外して前記球貯留室の容積を大きくするパチンコ遊技機がある（例えば、特許文献１参照。）。なお、前記下皿装置は上述した遊技媒体貯留部材２３７、球貯留室は前記空洞部２６１に相当する。
【０００４】
【特許文献１】
特開２００１−３８０１９号公報  （第１−５頁、第１−８図）
【０００５】
しかしながら、従来の遊技機においては、大当たり状態になると賞品球が大量に払い出され、前記上側球受け皿と遊技媒体貯留部材２３７がすべての賞品球を受け入れられない場合がある。そこで、前記賞品球を球箱に球抜きしているが、この球箱が賞品球で満杯になると、賞品球が球箱から溢れてしまうおそれがあり、遊技者は球抜きを止めて賞品球で満杯になった球箱を別の球箱に取り替える。しかし、その間にも大量の賞品球が払い出されると、前記遊技媒体貯留部材２３７から賞品球が溢れてしまうおそれもある。
【０００６】
特許文献１に示すように、前記下皿装置から賞品球が溢れないようにするため前記仕切り板を取外して前記球貯留室を大きくすることもできるが、このような場合には、遊技者が灰皿を使用することができない問題もあった。
【０００７】
【発明が解決しようとする課題】
この発明は、このような状況に鑑み提案されたもので、大量に遊技媒体が払い出される場合であっても、遊技媒体貯留部材が有する灰皿等の備品を設けた領域を使用することなく、新たな領域を使用して空洞部を大きくすることができる遊技機を提供する。
【０００８】
【課題を解決するための手段】
すなわち、請求項１の発明は、空洞部が構成部材により形成されることにより前記空洞部に遊技媒体を貯留可能に構成された遊技媒体貯留部材が遊技機正面側に設けられ、前記構成部材の少なくとも一部を変位可能に保持する構成部材変位手段を備え、前記構成部材変位手段によって前記構成部材が変位することにより前記空洞部の容量が拡縮可能に構成されていることを特徴とする遊技機に係る。
【０００９】
請求項２の発明は、請求項１において、前記構成部材は前記遊技媒体貯留部材に対して前後方向に進退する遊技機に係る。
【００１０】
請求項３の発明は、請求項１または２において、前記構成部材変位手段は前記遊技媒体貯留部材に設けられた誘導部からなり、該誘導部に沿って前記構成部材が摺動する遊技機に係る。
【００１１】
請求項４の発明は、請求項１ないし３のいずれか１項において、前記遊技媒体貯留部材に前記構成部材の底部あるいは側部の少なくとも一部を挿通する挿通口を有する板面部が形成されているとともに、前記板面部が前記構成部材の一部を構成している遊技機に係る。
【００１２】
請求項５の発明は、請求項１ないし４のいずれか１項において、前記構成部材に前記遊技媒体貯留部材の一部に当接してその前進を抑止する前進ストッパが設けられている遊技機に係る。
【００１３】
請求項６の発明は、請求項１ないし５のいずれか１項において、前記遊技媒体貯留部材に前記構成部材の底部に対して補助板面部が延設されているとともに、前記補助板面部が前記構成部材と当接してその後退を抑止する遊技機に係る。
【００１４】
請求項７の発明は、請求項１ないし６のいずれか１項において、前記構成部材に前記空洞部に貯留された遊技媒体を該空洞部外部に排出する排出孔と該排出孔を開閉する開閉操作手段が備えられている遊技機に係る。
【００１５】
【発明の実施の形態】
以下添付の図面に基づきこの発明の好適な実施形態を説明する。
図１は本発明の一実施例に係る遊技機全体の正面図、図２は同遊技機全体の裏面図、図３は同遊技機の裏機構板の一部を切り欠いて示す図、図４は同遊技機の遊技媒体貯留部材付近の斜視図、図５は同遊技媒体貯留部材に対して構成部材が変位した状態を示す斜視図、図６は同遊技媒体貯留部材および構成部材の分解斜視図、図７は同遊技媒体貯留部材および構成部材の概略平面図、図８は構成部材の斜視図、図９は図７のＡ−Ａ概略断面図、図１０は構成部材進退処理に関するフローチャートである。
【００１６】
図１および図２に示す遊技機１は、枠体２の内側に遊技盤３が着脱交換可能に収容されており、その遊技盤３に遊技球の外側誘導レール４および内側誘導レール５が略円形に立設され、前記外側誘導レール４と内側誘導レール５によって囲まれた遊技領域６が設けられている。前記枠体２には、遊技球払出口（図示せず。）より払い出された遊技媒体（実施例では遊技球。）を受け入れる遊技球供給皿（上側球受け皿とも称される。）３６、前記遊技球供給皿３６の飽和時に遊技球を受け入れるための遊技媒体貯留部材（実施例では下側球受け皿。）３７、遊技状態を報知するランプ表示器３４、３５および音声や効果音を発して遊技状態を遊技者に報知するスピーカ８、遊技者による発射レバー９２の操作に応じて遊技球を遊技盤３の遊技領域６に向けて発射する発射装置９１等がそれぞれ組み付けられている。また、前記遊技球供給皿３６の右側上面には、この遊技球供給皿３６の遊技球を球抜きして前記遊技媒体貯留部材（下側球受け皿）３７へ移すための球返却ボタン３３が設けられている。なお、図中の符号７４は、後述する開閉操作手段７０の操作部である。
【００１７】
この実施例の遊技盤３における遊技領域６には、その中心線上に上部から下部に向かって順に液晶表示器（ＴＦＴ−ＬＣＤモジュール）等からなる画像表示部５０を有する表示装置９、普通電動役物である始動入賞口１１、特別電動役物である大入賞口１５、アウト口１７が配設され、また前記表示装置９の両側にはランプ風車１８ａ，１８ｂ、その下方に普通図柄変動開始用左ゲート１９および普通図柄変動開始用右ゲート２１、その下方に風車２２ａ，２２ｂが設けられており、その下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。また、この実施例の遊技領域６にはこれを流下する遊技球を誘導する遊技釘７が適宜設けられている。
【００１８】
前記発射装置９１は、操作ハンドル９２と、該操作ハンドル９２の操作により駆動する発射モータと、該発射モータの駆動により間欠的に揺動して遊技球を弾発発射する打球杆とを有している。前記発射装置９１により発射された遊技球は、前記遊技盤３に立設された外側誘導レール４と内側誘導レール５間で構成される発射球誘導路を介して遊技領域６に誘導されるようになっている。前記発射球誘導路により遊技領域６に誘導された遊技球は、転動しつつ下方へ流下し、前記各入賞口に入賞するか、あるいは何処にも入賞しなければ前記アウト口１７から遊技盤３の裏側へ排出されるように構成される。
【００１９】
さらに、この遊技機１にはカードユニット１５１が設けられており、貸球情報が記録されたプリペードカードをカードユニット１５１のカード挿入口Ｕに挿入すると、該プリペードカードに記録されている貸出可能度数が球貸し操作部４５の度数表示部に表示され、遊技者が該球貸し操作部４５の球貸ボタンを操作することにより所定数の貸球が前記遊技球供給皿３６に払い出され、遊技者が遊技を中止したいときには、前記球貸し操作部４５のカード返却ボタンを操作することによりプリペードカードがカード挿入口Ｕから排出されるようになっている。
【００２０】
この遊技機１の裏側には、図２に示す裏機構を備えている。図中の符号１０１は遊技球を貯留する貯留タンク、１０２はタンクレール、１０４は枠用外部出力端子基板、１０５はランプ中継基板、１０６は受電基板、１０７は賞球センサ中継基板、１１０は盤面用外部出力端子基板、１１１は中継基板、１１２は音声制御基板、１１３はＦＧ中継基板、１１４は電源基板、１１５はランプ制御基板、１１８は払出制御基板、１１９は発射装置制御基板、１２１は主制御基板、１２２はカードインターフェイス接続部、１２３，１２４は電源プラグ、１６１は図柄制御基板、Ｇは接地線である。
【００２１】
次に、図３を用いて前記遊技球供給皿３６および遊技媒体貯留部材（下側球受け皿）３７への遊技球の払い出しについて説明する。裏機構板１００に示すように、遊技機１の設置島から供給された払出用の遊技球Ｐは、まず、裏機構板１００に配設されている遊技球の貯留タンク１０１に貯留される。貯留タンク１０１には誘導樋９５と連通する連通口が設けられており、遊技球Ｐが誘導樋９５に流れるようになっている。誘導樋９５は、前記貯留タンク１０１から流れてきた遊技球Ｐを貸球払出装置１４０および賞球払出装置１６０に誘導するものである。この実施例では、誘導樋９５が貯留タンク１０１の連通口に一端が接続されるタンクレール１０２と、該タンクレール１０２の他端に一端が接続されて他端が貸球払出装置１４０および賞球払出装置１６０に至るケースレール１３０との２部材で構成されている。また、この実施例の誘導樋９５は、遊技球Ｐを効率よく誘導できるように、タンクレール１０２内部分では、平行に配列された複数の樋（この実施例では３列の樋。）で構成されており、各列の樋内で遊技球Ｐが１列になってケースレール１３０へ流下するようになっている。
【００２２】
この実施例では、前記ケースレール１３０内で、前記３列の誘導樋９５は、１列の貸球誘導樋と２列の賞球誘導樋とに振り分けられている。なお、前記３列の誘導樋９５は、１列の賞球誘導樋と２列の貸球誘導樋とに振り分けるようにしてもよい。タンクレール１０２およびケースレール１３０を流下してきた遊技球は、ケースレール１３０内を経て、貸球払出装置１４０および賞球払出装置１６０に達する。
【００２３】
貸球払出装置１４０および賞球払出装置１６０によって払い出された遊技球Ｐは、図示の矢印の如く両装置１４０，１６０の下方に位置する球受け皿１７１に落下する。この球受け皿１７１と前記遊技球供給皿３６との間には遊技球払出口１７２が設けられており、前記球受け皿１７１に落下した遊技球Ｐは該遊技球払出口１７２によって前記遊技球供給皿３６に払い出される。また、前記球受け皿１７１が遊技球で満たされることにより該受け皿１７１に落下する遊技球Ｐを受け入れられない場合には、前記受け皿１７１の側壁を乗り越えた遊技球Ｐが遊技媒体貯留部材（下側球受け皿）３７に向けて遊技媒体貯留部材誘導樋１７３を流下する。そして、この遊技球Ｐは後述する構成部材６０の空洞部６１に貯留される。
【００２４】
前記構成部材６０の空洞部６１が遊技球で満たされることにより該空洞部６１が遊技球を受け入れられない場合には、遊技球が前記遊技媒体貯留部材誘導樋１７３内に停滞する。遊技媒体貯留部材誘導樋１７３内に設けたマンタンストッパ１７４のばね部材１７４Ａが該誘導樋１７３内に停滞した遊技球によりその付勢力に抗して押されると、マンタンスイッチ１７５がＯＮ状態となる。マンタンスイッチ１７５がＯＮ状態となると、前記主制御基板１２１が貸球払出装置１４０および賞球払出装置１６０による遊技球の払い出しを停止する信号を両装置１４０，１６０に送信する。なお、図中の符号１４２は貸球スクリュ−、１４３は貸球モータ、１４５は貸球センサ、１６２は賞球スクリュー、１６３は賞球モータ、１６５は賞球センサである。
【００２５】
次に図４ないし図９を用いてこの発明を詳述する。図４ないし図６に示すように、本発明の遊技機１は、その正面側に空洞部６１が構成部材６０により形成されることにより前記空洞部６１に遊技媒体（実施例では遊技球。）が貯留可能に構成された遊技媒体貯留部材（実施例では下側球受け皿。）３７が設けられている。この遊技機１は、前記構成部材６０の少なくとも一部を変位可能に保持する構成部材変位手段５２を備え、前記構成部材変位手段５２によって前記構成部材６０が変位することにより前記空洞部６１の容量が拡縮可能に構成されている。
【００２６】
構成部材６０は、底部６２と側部６３と前面部６７とによって形成された空洞部６１を有している。この空洞部６１と前記下側球受け皿３７との間であって、該下側球受け皿３７の一部を構成する板面部４０には前記空洞部６１と連通する遊技球払出口４１が設けられている。空洞部６１は前記遊技球払出口４１から払い出された遊技球を貯留する。図５に示すように、構成部材６０が後述の構成部材変位手段５２によって変位すると、前記空洞部６１の容量が図４に示す空洞部６１の容量に比べて拡大可能となる。そこで、大当たり状態となり大量に遊技球（遊技媒体）が払い出される場合であっても、前記空洞部６１の容量を拡大させることができ、下側球受け皿（遊技媒体貯留部材）３７での遊技球の貯留量を増加させて該球受け皿３７から遊技球が溢れないように時間を稼ぐことができる。一方、構成部材６０が構成部材変位手段５２によって前記遊技球払出口４１側に変位すると前記空洞部６１の容量が縮小可能となる。
【００２７】
また、下側球受け皿３７には前記構成部材６０と独立して灰皿３８が設けられている。そこで、遊技媒体貯留部材（下側球受け皿）３７が有する灰皿等の備品を設けた領域を使用することなく、構成部材６０の変位によって形成された新たな領域を使用して前記空洞部６１の容量を拡大することができる。よって、従来の遊技機では遊技者が灰皿を使用しながら空洞部６１に相当する球貯留室を大きくすることができなかった問題点を解消することができる。
【００２８】
構成部材６０は、図４および図５から理解できるように、前記遊技媒体貯留部材（下側球受け皿）３７に対して前後方向に進退する。図４の状態では、遊技者は前記構成部材６０の下方に該構成部材６０の空洞部６１から球抜きができる球箱を設置しているが、この構成部材６０は前記球箱を設置したまま下側球受け皿３７に対して進退させることができる。下側球受け皿３７は、図６から理解できるように、前記構成部材６０と板面部４０と本体カバー５１とにより構成されており、該本体カバー５１には構成部材変位手段５２が形成されている。
【００２９】
構成部材変位手段５２は前記遊技媒体貯留部材（下側球受け皿）３７に設けられた誘導部５２Ａからなり、該誘導部５２Ａに沿って前記構成部材６０が摺動する。この誘導部５２Ａは下側球受け皿３７を構成する本体カバー５１に一体成形された２つの凸部からなる。そして、構成部材６０は前記凸部５２Ａと嵌合する２つの凹部６５を有している。そこで、前記凸部５２Ａと凹部６５を嵌合させることにより、構成部材６０を凸部からなる誘導部５２Ａに沿って摺動させることができる。この構成部材６０の摺動は、通常遊技者が手動で前記構成部材６０を変位させることによって行う。遊技者は、前記構成部材６０を誘導部５２Ａを用いて容易に摺動させることができる。
【００３０】
前述した遊技媒体貯留部材（下側球受け皿）３７には前記構成部材６０の底部６２あるいは側部６３の少なくとも一部を挿通する挿通口４２を有する板面部４０が形成されているとともに、前記板面部４０が前記構成部材６０の一部を構成している。
【００３１】
板面部４０は、図６に示すように、該板面部４０の底辺と水平方向に前記構成部材６０の底部６２の一部を挿通する１つの挿通口４２Ａを有し、該挿通口４２Ａの直交方向に前記構成部材６０の側部６３の一部を挿通する２つの挿通口４２Ｂを有している。両挿通口４２Ａ，４２Ｂは、前記板面部４０に一体となって挿通口４２を形成する。この実施例では、図７に示すように、前記構成部材６０の底部６２および側部６３の長さの１／３程度が前記挿通口４２によって板面部４０の裏面側へ挿通される。
【００３２】
遊技球を貯留する空洞部６１は、図４および図５に示すように、前記構成部材６０の底部６２、側部６３、前面部６７および板面部４０の前面４３等によって仕切られた空間として形成されている。そこで、前記板面部４０（前面４３）が前記空洞部６１を形成する構成部材６０の一部を構成している。このようにすれば、構成部材６０はその空洞部６１の容量の拡縮に合わせて前記底部６２、側部６３等の他に前記空洞部６１を形成する新たな部材を設ける必要がない。そして、構成部材６０を下側球受け皿３７に対して前後方向に進退させることによって前記底部６２、側部６３の長さを変化させれば、前記空洞部６１の容量が拡縮可能となる。
【００３３】
さらに、構成部材６０には前記遊技媒体貯留部材（下側球受け皿）３７の一部に当接してその前進を抑止する前進ストッパ６６が設けられている。この実施例では、図６ないし図８に示すように、２つの前進ストッパ６６が前記構成部材６０の側部６３の終端にねじ等で固着されている。構成部材６０を前記構成部材変位手段５２によって下側球受け皿３７に対して前進させると、前記前進ストッパ６６と該球受け皿３７に形成された板面部４０の裏面との間の長さＬが次第に短くなる。そして、長さＬが零となり前進ストッパ６６が板面部４０の裏面に当接すると、構成部材６０は前進ストッパ６６によって前進することを抑止される。このようにすれば、構成部材６０が下側球受け皿３７から抜け落ちることがなく、前記空洞部６１の容量を最大限にすることができる。なお、図６中の符号５３は本体カバー５１の一部を切り欠いて後述する構成部材６０の排出孔６８からの遊技球が通過する排出部である。
【００３４】
加えて、前記遊技媒体貯留部材（下側球受け皿）３７には前記構成部材６０の底部６２に対して補助板面部４４が延設されているとともに、前記補助板面部４４が前記構成部材６０と当接してその後退を抑止する。この実施例では、図６および図９に示すように、補助板面部４４は前記下側球受け皿３７に形成された板面部４０の前面４３と一体に形成されており、前記補助板面部４４は底部６２に対して傾斜するように延設されている。補助板面部４４を底部６２に対して傾斜するように延設すると、遊技球払出口４１から払い出される遊技球を空洞部６１内にスムーズに誘導することができる。図７に示すように、前記空洞部６１の容量を最小限にするときには、構成部材６０の前面部６７の裏側６７Ａが補助板面部４４と当接する。そこで、構成部材６０はその前面部６７の裏側６７Ａに当接した補助板面部４４によって該構成部材６０の後退が抑止される。このようにすれば、前記補助板面部４４が構成部材６０の後退ストッパとしての機能を有する。図６から理解できるように、前記補助板面部４４は前記本体カバー５１と同様に、該板面部４４の一部を切り欠いて、後述する排出孔６８への遊技球の通過口４４Ａを有している。また、前記構成部材６０の凹部６５はその一端６５Ｂが前記構成部材変位手段５２の一端５２Ｂと当接することにより構成部材６０の後退ストッパとしての機能も有する。なお、前記空洞部６１の容量は前述した最大限および最小限にするのみならず、遊技者が構成部材６０の変位量を調整し、その好みに合わせて前記空洞部６１の容量を拡縮することができる。
【００３５】
前記構成部材６０には前記空洞部６１に貯留された遊技媒体（遊技球）を該空洞部６１外部に排出する排出孔６８と該排出孔６８を開閉する開閉操作手段７０が備えられている。これらについて、図６ないし図９を用いて説明する。
【００３６】
排出孔６８は、図７からより理解できるように、前記構成部材６０の底部６２に設けられており、該排出孔６８は前記底部６２を貫通する孔部によって構成されている。この排出孔６８は、通常時は後述する開閉操作手段７０の蓋部本体７２によって閉鎖されている。
【００３７】
開閉操作手段７０は前記排出孔６８を開閉するためのものであり、該開閉操作手段７０は前記構成部材６０の底部６２の裏側に設けられている。前記開閉操作手段７０は、図６からより理解できるように、蓋部７１と、蓋部保持部材７５と、ばね部材７９とによって構成されている。
【００３８】
蓋部７１は、蓋部本体７２と、ばね部材保持部７３と、操作部７４とを備えている。蓋部本体７２は前記構成部材６０の底部６２の裏側に設けられており、通常時は前記排出孔６８を覆うようにして該排出孔６８を閉鎖している。ばね部材保持部７３は後述する蓋部保持部材７５に装着されたばね部材７９の一端を装入する凸部からなる。操作部７４は、図８に示すように、遊技者が前記ばね部材７９の付勢力に抗して蓋部本体７２をＸ方向に移動させるためのものである。これによって、前記蓋部本体７２による排出孔６８の閉鎖が解除されて該排出孔６８が開口する。
【００３９】
蓋部保持部材７５は、前記蓋部７１，ばね部材７９を装着するものであり、該蓋部保持部材７５は前記構成部材６０の底部６２の裏側にねじ部材等で固定されている。この蓋部保持部材７５は、前記蓋部７１を装着して摺動可能な複数の溝部を有している。図６に示すように、複数の溝部は蓋部本体装着溝７６、ばね部材保持部装着溝７７等によって構成されている。ばね部材保持部装着溝７７には、前記ばね部材７９の一端を装入する凸部７７Ａが設けられている。なお、図中の符号７８は前記蓋部７１を挟んで前記排出孔６８と連通するように設けた保持部材排出孔である。
【００４０】
ばね部材７９は、その付勢力によって前記蓋部本体７２を前記Ｘ方向とは逆方向に付勢して前記排出孔６８を閉鎖するものである。ばね部材７９は、その両端がそれぞれ前記ばね部材保持部７３と凸部７７Ａに装入されて前記ばね部材保持部装着溝７７に装着されている。
【００４１】
以下に前記開閉操作手段７０を操作して遊技球を前記空洞部６１の外部へ排出する場合について説明する。図７および図９に示すように、前記空洞部６１の容量が縮小されて最小限である場合には、遊技球が前記板面部４０の前面４３，補助板面部４４，その通過口４４Ａから現れる前記底部６２，側部６３等によって形成された空洞部６１に貯留される。遊技者が前記操作部７４をばね部材７９（図示せず。）の付勢力に抗して前記Ｘ方向へ移動させると前記蓋部本体７２による排出孔６８の閉鎖が解除される。そして、前記空洞部６１に貯留された遊技球は、前記通過口４４Ａ，排出孔６８，保持部材排出孔７８，排出部５３を順次通過して空洞部６１の外部に排出される。空洞部６１の外部に排出された遊技球は、遊技者が前記排出部５３の下方に設置する球箱に収容される。
【００４２】
一方、図５に示すように、空洞部６１の容量が拡大されて最大限である場合には、遊技球が前記前面４３，補助板面部４４，その通過口４４Ａから現れる前記底部６２，前記構成部材６０の前面部６７の裏側６７Ａと補助板面部４４との間に新たに現れる底部６２，側部６３等によって形成された空洞部６１に貯留される。上記と同様に、遊技者が前記操作部７４をＸ方向へ移動させると、前記空洞部６１に貯留された遊技球は、前記通過口４４Ａ，排出孔６８，保持部材排出孔７８を順次通過して空洞部６１の外部に排出される。空洞部６１の外部に排出された遊技球は、遊技者が前記保持部材排出孔７８の下方に設置する球箱に収容される。
【００４３】
上述したように、開閉操作手段７０を構成部材６０の底部６２の裏側に設けると、前記空洞部６１の容量の拡縮に合わせて該空洞部６１に貯留された遊技球を空洞部６１の外部に排出することができる。
【００４４】
上記実施例では、遊技者が手動で構成部材６０を構成部材変位手段５２によって変位させることにより空洞部６１の容量を拡縮可能としているが、これに限定されない。例えば、前記構成部材６０を自動で変位させることにより前記空洞部６１の容量を拡縮可能としてもよい。以下に前記マンタンスイッチ１７５による遊技球の検出信号に基づいて前記主制御基板１２１等が構成部材６０を自動で変位させる処理について説明する。
【００４５】
図１０に示すように、構成部材進退処理（Ｓ１０）では、まず、前記裏機構板１００の遊技媒体貯留部材誘導樋１７３内に設けたマンタンストッパ１７４のばね部材１７４Ａが該誘導樋１７３内に停滞した遊技球によりその付勢力に抗して押され、マンタンスイッチ１７５が遊技球を検出したか否かの判断がなされる（Ｓ１１）。ここで、前記マンタンスイッチ１７５が遊技球を検出した場合、すなわちマンタンスイッチ１７５がＯＮ状態の場合には、主制御基板１２１に接続された公知の駆動機構が前記構成部材６０を遊技媒体貯留部材（下側球受け皿）３７に対して前進させる構成部材前進処理がなされる（Ｓ１２）。構成部材６０が前記下側球受け皿３７に対して前進すると、前述したように、前記空洞部６１の容量が最大限となり該空洞部６１の容量が拡大される。
【００４６】
一方、前記Ｓ１１において、前記マンタンスイッチ１７５が遊技球を検出しない場合、すなわちマンタンスイッチ１７５がＯＦＦ状態の場合には、前記公知の駆動機構が構成部材６０を前記下側球受け皿３７に対して後退させる構成部材後退処理がなされる（Ｓ１３）。構成部材６０が前記下側球受け皿３７に対して後退すると、前述したように、前記空洞部６１の容量が最小限となり該空洞部６１の容量が構成部材６０が前進した場合に比べて縮小される。そして、構成部材進退処理（Ｓ１０）では、上述した各処理が行われた後は爾後の処理に備えて待機状態となる。なお、前記公知の駆動機構としては、動力を発生するモータと、モータからの動力を伝達するギヤとを設け、前記構成部材６０をこのギヤに噛合させることにより前記下側球受け皿３７に対して進退させる例が挙げられる。
【００４７】
なお、本発明は、上述した実施例に限定されるものではなく、発明の趣旨を逸脱しない範囲において構成の一部を適宜に変更して実施することができる。上記実施例では、前記構成部材６０の凹部６５が前記本体カバー５１に一体形成された凸部５２Ａと嵌合され、構成部材６０が該凸部５２Ａからなる誘導部に沿って摺動するようにしているが、これに限定されない。例えば、構成部材６０に凸部、本体カバー５１に凹部をそれぞれ形成し、この凸部と凹部を嵌合させて前記構成部材６０が凹部に沿って摺動するようにしてもよい。
【００４８】
また、上記実施例ではパチンコ遊技機を用いて説明してきたが、本発明はこれに限定されず、スロットマシン等の適宜の遊技機に適用し、コイン等の遊技媒体を貯留する空洞部を拡縮可能とすることもできる。
【００４９】
【発明の効果】
以上図示し説明したように、請求項１の発明に係る遊技機においては、空洞部が構成部材により形成されることにより前記空洞部に遊技媒体を貯留可能に構成された遊技媒体貯留部材が遊技機正面側に設けられ、前記構成部材の少なくとも一部を変位可能に保持する構成部材変位手段を備え、前記構成部材変位手段によって前記構成部材が変位することにより前記空洞部の容量が拡縮可能に構成されている。そこで、大量に遊技媒体が払い出される場合であっても、前記遊技媒体貯留部材が有する灰皿等の備品を設けた領域を使用することなく、構成部材の変位によって形成された新たな領域を使用して空洞部を大きくすることができる。
【００５０】
請求項２の発明においては、前記構成部材は前記遊技媒体貯留部材に対して前後方向に進退するものであり、構成部材の下方に球箱を設置したまま該構成部材を進退させることができる。
【００５１】
請求項３の発明においては、前記構成部材変位手段は前記遊技媒体貯留部材に設けられた誘導部からなり、該誘導部に沿って前記構成部材が摺動する。そこで、遊技者は前記構成部材を誘導部を用いて容易に摺動させることができる。
【００５２】
請求項４の発明においては、前記遊技媒体貯留部材に前記構成部材の底部あるいは側部の少なくとも一部を挿通する挿通口を有する板面部が形成されており、前記構成部材の底部あるいは側部の少なくとも一部を板面部の裏側に挿通することができる。加えて、前記板面部が前記構成部材の一部を構成しており、空洞部の容量の拡縮に合わせて構成部材に該空洞部を形成する新たな部材を設ける必要がない。
【００５３】
請求項５の発明においては、前記構成部材に前記遊技媒体貯留部材の一部に当接してその前進を抑止する前進ストッパが設けられており、該前進ストッパが遊技媒体貯留部材に当接して構成部材が該貯留部材から抜け落ちることがない。
【００５４】
請求項６の発明においては、前記遊技媒体貯留部材に前記構成部材の底部に対して補助板面部が延設されているとともに、前記補助板面部が前記構成部材と当接してその後退を抑止する。そこで、前記補助板面部が構成部材の後退ストッパとしての機能を有することとなる。
【００５５】
請求項７の発明においては、前記構成部材に前記空洞部に貯留された遊技媒体を該空洞部外部に排出する排出孔と該排出孔を開閉する開閉操作手段が備えられている。そこで、前記排出孔と開閉操作手段により前記構成部材の空洞部の拡縮に合わせて該空洞部に貯留された遊技媒体を空洞部外部に排出することができる。
【図面の簡単な説明】
【図１】本発明の一実施例に係る遊技機全体の正面図である。
【図２】同遊技機全体の裏面図である。
【図３】同遊技機の裏機構板の一部を切り欠いて示す図である。
【図４】同遊技機の遊技媒体貯留部材付近の斜視図である。
【図５】同遊技媒体貯留部材に対して構成部材が変位した状態を示す斜視図である。
【図６】同遊技媒体貯留部材および構成部材の分解斜視図である。
【図７】同遊技媒体貯留部材および構成部材の概略平面図である。
【図８】構成部材の斜視図である。
【図９】図７のＡ−Ａ概略断面図である。
【図１０】構成部材進退処理に関するフローチャートである。
【図１１】従来の遊技機の遊技媒体貯留部材付近の斜視図である。
【符号の説明】
１  遊技機
３７  遊技媒体貯留部材
４０  板面部
４２  挿通口
４４  補助板面部
５２  構成部材変位手段
５２Ａ  誘導部
６０  構成部材
６１  空洞部
６２  構成部材の底部
６３  構成部材の側部
６６  前進ストッパ
６７  構成部材の前面部
６８  排出孔
７０  開閉操作手段
Ｐ  遊技球
【図１】
2004147943.tif 000003
【図２】
2004147943.tif 000004
【図３】
2004147943.tif 000005
【図４】
2004147943.tif 000006
【図５】
2004147943.tif 000007
【図６】
2004147943.tif 000008
【図７】
2004147943.tif 000009
【図８】
2004147943.tif 000010
【図９】
2004147943.tif 000011
【図１０】
2004147943.tif 000012
【図１１】
2004147943.tif 000013